(57)【要約】本発明の課題は、手首等への装着感を良好にする。手首等への着脱の際に手首，指や衣服等を傷付けないようにするバンド用中留具を提供することにある。  本発明は、湾曲したベース板（１）と、鎖部材（Ｃ）に直接的にまたは間接的に連結されてベース板（１）の両端部に回動可能に支持され観音開き式に折畳，展開で開閉される２枚の湾曲した折畳板（２）と、折畳板の折畳閉鎖をロックするロック機構（４）とを備えている。ロック機構（４）は、ベース板（１）を介在せずに折畳板（２）の間で直接的にロックするものである構成が採用されている。
2008084881.tif 000002
【特許請求の範囲】
【請求項１】
湾曲したベース板と、鎖部材に直接的にまたは間接的に連結されてベース板の両端部に回動可能に支持され観音開き式に折畳，展開で開閉される２枚の湾曲した折畳板と、折畳板の折畳閉鎖をロックするロック機構とを備えたバンド用中留具において、ロック機構はベース板を介在せずに折畳板の間で直接的にロックするものであることを特徴とするバンド用中留具。
【請求項２】
請求項１のバンド用中留具において、ロック機構は一方の折畳板に設けられたロック体を鎖部材の幅方向への小さな突出量で他方の折畳板に設けられたロック受に弾圧係止させるものであることを特徴とするバンド用中留具。
【請求項３】
請求項２のバンド用中留具において、ロック機構のロック体はピン形に形成されて一方の折畳板と鎖部材との間に連結され折畳閉鎖された折畳板の外側に被せられる外蓋ブロックの一部に凹状に形成された空隙に突出され、ロック機構のロック受はピン孔形に形成されて他方の折畳板が連結される鎖部材に設けられていることを特徴とするバンド用中留具。
【請求項４】
請求項３のバンド用中留具において、ロック機構のロック受は他方の折畳板が連結される鎖部材から突出された連結用軸受ブロックに設けられ、連結用軸受ブロックはロック機構のロック受に向けたテーパ面が形成されていることを特徴とするバンド用中留具。
【請求項５】
請求項１〜４のいずれかのバンド用中留具において、ベース板と折畳板との間に折畳板の折畳閉鎖を補助的にロックする補助ロック機構を備え、補助ロック機構はロック体を鎖部材の幅方向への小さな突出量でロック受に弾圧係止させるものであることを特徴とするバンド用中留具。
【請求項６】
請求項５のバンド用中留具において、ベース板は折畳閉鎖された折畳板が収容される収容溝が設けられ、補助ロック機構のロック体はボール形に形成されて折畳板の端部の側面に設けられ、補助ロック機構のロック受は溝形に形成されてベース板の収容溝の側面に設けられていることを特徴とするバンド用中留具。
【請求項７】
請求項３のバンド用中留具において、外蓋ブロックはロック体が設けられるスライダとともにセラミックス材で形成され、スライダのスライド域はスライダに設けられたスライド用溝と外蓋ブロックに支持されたストッパとによって規制され、ストッパは両スライダのスライド用溝に挿入されて埋込まれる軸長を有するナットからなり螺合されて先端部が外蓋ブロックに設けられた支持穴に係止される取付ネジで外蓋ブロックに支持され、外蓋ブロックは積層されてストッパが埋込まれた両スライダをスライド方向から内部に収容するための収容用窓と外部からストッパに取付ネジを螺合させるための取付用窓とが開口されていることを特徴とするバンド用中留具。
【請求項８】
請求項７のバンド用中留具において、両スライダのスライド用溝はスライド方向と直交する方向の幅が異なり、ストッパは両スライダのスライド用溝にそれぞれ挿入される部分を有する段付きのナットからなることを特徴とするバンド用中留具。
【請求項９】
請求項８のバンド用中留具において、外蓋ブロックはストッパのスライダへの埋込方向と反対側に取付用窓が開口されていることを特徴とするバンド用中留具。
【発明の詳細な説明】
【技術分野】
【０００１】
本発明は、腕時計バンド，ブレスレッド等のバンド状の鎖部材に連結され観音開き（両開き）に折畳，展開で開閉されるバンド用中留具に係る技術分野に属する。
【背景技術】
【０００２】
観音開き式のバンド用中留具は、完全に分離して手首等から脱落することがないとともに、鎖部材の間隔を大きく広げて手首等への装着を容易にすることができるという利点があることから、腕時計バンド，ブレスレッド等の鎖部材の連結具として多用されている。
従来、バンド用中留具としては、例えば、以下に記載のものが知られている。
【特許文献１】特開２００４−１８７７５２号公報
【０００３】
特許文献１には、湾曲したベース板と、鎖部材に直接的にまたは間接的に連結されてベース板の両端部に回動可能に支持され観音開き式に折畳，展開で開閉される２枚の湾曲した折畳板と、ベース板に係止して折畳板の折畳閉鎖をロックする爪片構造のロック機構とを備えたバンド用中留具が記載されている。
【発明の開示】
【発明が解決しようとする課題】
【０００４】
特許文献１に係るバンド用中留具では、ロック機構が爪片構造で鎖部材の厚さ方向（ベース板，折畳板の重ね方向）へ突出してベース板に係止され構造的に薄型化することができないため、手首等への装着感が不良であるという問題点がある。また、ロック機構の爪片構造の突出によって、手首等への着脱の際に手首，指や衣服等を傷付けることがあるという問題点がある。
本発明は、このような問題点を考慮してなされたもので、手首等への装着感が良好で手首等への着脱の際に手首，指や衣服等を傷付けることのないバンド用中留具を提供することを第１の課題とする。さらに、第１の課題に加えて、材料のセラミックス化に対応することのできるバンド用中留具を提供することを第２の課題とする。
【課題を解決するための手段】
【０００５】
前述の課題を解決するため、本発明に係るバンド用中留具は、請求の範囲の各請求項に記載の手段を採用する。
即ち、請求項１では、湾曲したベース板と、鎖部材に直接的にまたは間接的に連結されてベース板の両端部に回動可能に支持され観音開き式に折畳，展開で開閉される２枚の湾曲した折畳板と、折畳板の折畳閉鎖をロックするロック機構とを備えたバンド用中留具において、ロック機構はベース板を介在せずに折畳板の間で直接的にロックするものであることを特徴とする。
この手段では、ロック機構を折畳板の間で直接的にロックするものとすることで、ロック機構からのベース板側への突出が消失される。
また、請求項２では、請求項１のバンド用中留具において、ロック機構は一方の折畳板に設けられたロック体を鎖部材の幅方向への小さな突出量で他方の折畳板に設けられたロック受に弾圧係止させるものであることを特徴とする。
この手段では、ロック機構の弾圧係止の方向が鎖部材の幅方向に設定されることで、より構造的な薄型化が可能になる。また、ロック機構のロック体を小さな突出量で弾圧係止させることで、ロック機構からのさらなる無用な突出が回避される。
また、請求項３では、請求項２のバンド用中留具において、ロック機構のロック体はピン形に形成されて一方の折畳板と鎖部材との間に連結され折畳閉鎖された折畳板の外側に被せられる外蓋ブロックの一部に凹状に形成された空隙に突出され、ロック機構のロック受はピン孔形に形成されて他方の折畳板が連結される鎖部材に設けられていることを特徴とする。
この手段では、ロック機構のロック体をピン形として外蓋ブロックの一部に凹状に形成された空隙に突出させることで、ロック機構のロック体の手首等への接触が回避される。
また、請求項４では、請求項３のバンド用中留具において、ロック機構のロック受は他方の折畳板が連結される鎖部材から突出された連結用軸受ブロックに設けられ、連結用軸受ブロックはロック機構のロック受に向けたテーパ面が形成されていることを特徴とする。
この手段では、この手段では、ロック機構のロック受に向けて連結用軸受にブロックテーパ面が形成されることで、ロック機構のロック体のロック受への移動が円滑に案内される。
また、請求項５では、請求項１〜４のいずれかのバンド用中留具において、ベース板と折畳板との間に折畳板の折畳閉鎖を補助的にロックする補助ロック機構を備え、補助ロック機構はロック体を鎖部材の幅方向への小さな突出量でロック受に弾圧係止させるものであることを特徴とする。
この手段では、  この手段では、補助ロック機構によって折畳板の折畳閉鎖のロックが補助される。また、ロック機構と基本的に同様の構成が採用される。
また、請求項６では、請求項５のバンド用中留具において、ベース板は折畳閉鎖された折畳板が収容される収容溝が設けられ、補助ロック機構のロック体はボール形に形成されて折畳板の端部の側面に設けられ、補助ロック機構のロック受は溝形に形成されてベース板の収容溝の側面に設けられていることを特徴とする。
この手段では、折畳板がベース板の収容溝に収容されることで、折畳板の厚さがベース板の厚さに吸収され、折畳板の無用な動きがベース板によって規制される。また、補助ロック機構として小型化が可能なボールロック構造が採用される。
また、請求項７では、請求項３のバンド用中留具において、外蓋ブロックはロック体が設けられるスライダとともにセラミックス材で形成され、スライダのスライド域はスライダに設けられたスライド用溝と外蓋ブロックに支持されたストッパとによって規制され、ストッパは両スライダのスライド用溝に挿入されて埋込まれる軸長を有するナットからなり螺合されて先端部が外蓋ブロックに設けられた支持穴に係止される取付ネジで外蓋ブロックに支持され、外蓋ブロックは積層されてストッパが埋込まれた両スライダをスライド方向から内部に収容するための収容用窓と外部からストッパに取付ネジを螺合させるための取付用窓とが開口されていることを特徴とする。
この手段では、スライド用溝にストッパが埋込まれて積層されたスライダを収容用窓から外蓋ブロックの内部に収容し、外蓋ブロックの外部から内部に収容されたストッパに取付ネジを螺合させて先端部を外蓋ブロックに設けられた支持穴に係止させ、ストッパを外蓋ブロックに固定的に支持しスライダをストッパを介して外蓋ブロックに可動的に支持するという組立構造が備えられ、カシメ等による結合工作が不要になる。
また、請求項８では、請求項７のバンド用中留具において、両スライダのスライド用溝はスライド方向と直交する方向の幅が異なり、ストッパは両スライダのスライド用溝にそれぞれ挿入される部分を有する段付きのナットからなることを特徴とする。
この手段では、両スライダのスライド用溝に挿入され埋込まれたストッパが幅の狭いスライド用溝が設けられたスライダに抜止めされ、外蓋ブロックの収容用窓から内部へのスライダ，ストッパの収容の際にストッパの脱落を防止することができる。
また、請求項９では、請求項８のバンド用中留具において、外蓋ブロックはストッパのスライダへの埋込方向と反対側に取付用窓が開口されていることを特徴とする。
この手段では、ストッパがスライダに抜止され取付用窓から脱落しない状態でストッパに取付ネジを螺合させることができる。
【発明の効果】
【０００６】
本発明に係るバンド用中留具は、ロック機構を折畳板の間で直接的にロックするものとすることで、ロック機構からのベース板側への突出が消失されるため、構造的な薄型化が可能になって手首等への装着感が良好になるとともに、ロック機構からの無用な突出が回避されて手首等への着脱の際に手首，指や衣服等を傷付けることがなくなる効果がある。効果がある。
さらに、請求項２として、ロック機構の弾圧係止の方向が鎖部材の幅方向に設定されることで、より構造的な薄型化が可能になる。また、ロック機構のロック体を小さな突出量で弾圧係止させることで、ロック機構からのさらなる無用な突出が回避されるため、手首等への装着感がより良好になるとともに、手首等への着脱の際に手首，指や衣服等を傷付けることが確実になくなる効果がある。
さらに、請求項３として、ロック機構のロック体をピン形として外蓋ブロックの一部に凹状に形成された空隙に突出させることで、ロック機構のロック体の手首等への接触が回避されるため、手首等への着脱の際に手首，指や衣服等を傷付けることが確実になくなる効果がある。
さらに、請求項４として、ロック機構のロック受に向けて連結用軸受にブロックテーパ面が形成されることで、ロック機構のロック体のロック受への移動が円滑に案内されるため、折畳板の折畳閉鎖のロック操作を円滑，確実に行うことができる効果がある。
さらに、請求項５として、補助ロック機構によって折畳板の折畳閉鎖のロックが補助されるため、折畳板の折畳閉鎖のロックが確実になる効果がある。また、ロック機構と基本的に同様の構成が採用されるため、手首等への装着感を良好にし手首等への着脱の際に手首等を傷付けることをなくするという効果を消失させない効果がある。
さらに、請求項６として、折畳板がベース板の収容溝に収容されることで、折畳板の厚さがベース板の厚さに吸収されるため、さらなる構造的な薄型化が可能になって、手首等への装着感がより良好になる効果がある。また、折畳板がベース板の収容溝に収容されることで、折畳板の無用な動きがベース板によって規制されるため、折畳閉鎖された折畳板とベース板とが安定的に一体化される効果がある。また、補助ロック機構として小型化が可能なボールロック構造が採用されるため、補助ロック機構をベース板と折畳板との間にコンパクトに組込むことができる効果がある。
さらに、請求項７として、スライド用溝にストッパが埋込まれて積層されたスライダを収容用窓から外蓋ブロックの内部に収容し、外蓋ブロックの外部から内部に収容されたストッパに取付ネジを螺合させて先端部を外蓋ブロックに設けられた支持穴に係止させ、ストッパを外蓋ブロックに固定的に支持しスライダをストッパを介して外蓋ブロックに可動的に支持するという組立構造が備えられ、カシメ等による結合工作が不要になるため、外蓋ブロックと外蓋ブロックの内部にスライド可能に収容されるスライダとの双方をセラミックス材とすることのできる組立構造を備えることができる効果がある。
さらに、請求項８として、両スライダのスライド用溝に挿入され埋込まれたストッパが幅の狭いスライド用溝が設けられたスライダに抜止めされ、外蓋ブロックの収容用窓から内部へのスライダ，ストッパの収容の際にストッパの脱落を防止することができるため、外蓋ブロックへのスライダ，ストッパの収容作業が容易になる効果がある。
さらに、請求項９として、ストッパがスライダに抜止され取付用窓から脱落しない状態でストッパに取付ネジを螺合させることができるため、取付ネジのストッパへの螺合作業が容易になる効果がある。
【図面の簡単な説明】
【０００７】
第１図は、本発明に係るバンド用中留具を実施するための最良の形態の第１例の一部分解状態の斜視図である。
第２図は、第１図の組立状態における折畳閉鎖の操作を示す斜視図であり、（Ａ）〜（Ｃ）に操作順が示されている。
第３図は、第２図（Ｃ）の側面図である。
第４図は、第３図のＸ−Ｘ線断面図である。
第５図は、第４図の要部の拡大断面図である。
第６図は、第１図の要部の横断面図であり、（Ａ），（Ｂ）に異なる動作状態が示されている。
第７図は、第６図の一部の斜視図である。
第８図は、第１図の他の要部の斜視図であり、（Ａ），（Ｂ）に異なる動作状態が示されている。
第９図は、本発明に係るバンド用中留具を実施するための最良の形態の第１例の折畳状態を示す側面図である。
第１０図は、第９図の折畳閉鎖の操作を示す斜視図であり（Ａ）〜（Ｃ）に操作順が示されている。
第１１図は、第９図の要部の断面図であり、（Ａ）〜（Ｄ）の順に組立工程が示されている。
第１２図は、第１１図（Ｂ）に対応する斜視図である。
第１３図は、第１１図（Ｄ）に対応する斜視図である。
第１４図は、第４図の組立完了状態の横断面図であり、（Ａ），（Ｂ）に異なる動作状態が示されている。
第１５図は、第１４図の中央縦断面図である。
【符号の説明】
【０００８】
１            ベース板
１ａ          収容溝
２            折畳板
３            外蓋ブロック
３ｂ          空隙
４            ロック機構
４ａ          ロック体
４ｂ          ロック受
５            補助ロック機構
５ａ          ロック体
５ｂ          ロック受
７，８        連結用軸受ブロック
７ｂ          テーパ面
Ｃ            鎖部材
【発明を実施するための最良の形態】
【０００９】
以下、本発明に係るバンド用中留具を実施するための最良の形態を図面に基づいて説明する。
第１図〜第８図は、本発明に係るバンド用中留具を実施するための最良の形態の第１例を示すものである。
第１例では、腕時計バンドの鎖部材Ｃへの適用に好適なものを示してある。
第１例は、第１図に示すように、耐腐食性を有するステンレス，チタン等で形成されたベース板１，折畳板２，外蓋ブロック３，ロック機構４，補助ロック機構５を主要部として構成されている。
ベース板１は、手首等への装着に違和感を生じないように、湾曲した細長い板状に形成されている。ベース板１の幅ａは、撓み，捻れ等が生じないように、両端部より中央部が大きくなるように形成されている（第４図参照）。ベース板１の湾曲の周方向には、折畳板２の厚さ，形状にほぼ対応した深さの長方形状に形成された折畳板２が収容される収容溝１ａが設けられている。収容溝１ａには、中央部の底面に折畳板２の一方の端部（後述の肉厚部２ｂ）が収容される相対的に深い溝形の収容深溝１ｂが設けられ、両端部の底面に折畳板２の他方の端部（後述の肉厚部２ａ）が収容される方形に切除された収容切欠１ｃが設けられ、両端部の収容切欠１ｃの両側面に折畳板２を回動可能に支持するための連結ピン６が挿通される挿通孔１ｄがそれぞれ設けられている。なお、連結ピン６は、軸本体６ａの一端部に圧接抜止め機能を有する相対的に径の大きな頭部６ｂが形成された打込ピンからなる（第５図参照）。
折畳板２は、ベース板１の収容溝１ａのほぼ半部に対応する湾曲した細長い板状に形成されて、製造コストを低減するために同一形状のものが２枚使用されている。折畳板２の両端部には、連結用の肉厚部２ａ，２ｂが設けられている。１つの肉厚部２ａには、ベース板１に回動可能に支持される連結ピン６が挿通される挿通孔２ｃが貫通して設けられている。他の１つの肉厚部２ｂには、鎖部材Ｃ（鎖部材Ｃの連結用端部駒），外蓋ブロック３に一体的に形成されて突出する格好で設けられた連結用軸受ブロック７，８が収容される方形状に切除された連結用切欠２ｄと、連結用切欠２ｄの両側面に配置されて連鎖部材Ｃ（連結用軸受ブロック７），外蓋ブロック３（連結用軸受ブロック８）に回動可能に連結される連結ピン９が挿通される挿通孔２ｅとが設けられている。連結ピン９は、軸本体９ａの軸方向の中央部に相対的に径の小さな係合用首９ｂが形成され、同じく筒本体１０ａの軸方向の中央部に相対的に内径の小さな係合用首１０ｂが形成され連結用軸受ブロック７，８に挿通されたスリーブ１０に抜止め挿通される（第５図参照）。スリーブ１０は、例えば、精密化が可能な電縫管として形成されて、連結用軸受ブロック７，８との間で円滑な滑りを確保する。即ち、１枚の折畳板２が連結用軸受ブロック７によって鎖部材Ｃに直接的に連結され、他の１枚の折畳板２が連結用軸受ブロック８によって外蓋ブロック３を介して鎖部材Ｃに間接的に連結されることになる。
外蓋ブロック３は、ロック機構４の一部を内蔵する箱筒形に形成され、ベース板１に折畳閉鎖された折畳板２の外側に被せられるようになっている。この外蓋ブロック３は、鎖部材Ｃの幅方向の側面（端面）が開放されたケーシング３ａを備え、ケーシング３ａの底面に筒形に形成された前述の連結用軸受ブロック８が設けられ、ケーシング３ａの底面の連結用軸受ブロック８付近から折畳板２への連結側の側面にかけて凹状の空隙３ｂが設けられ、ケーシング３ａの空隙３ｂとは反対側の側面に鎖部材Ｃ（鎖部材Ｃの連結用端部駒）に回動可能に連結する連結ピン１１が挿通される軸受３ｃが設けられている。
ロック機構４は、第６図〜第８図に詳細に示されるように、ピン形状に形成されたロック体４ａをピン孔形状に形成されたロック受４ｂに少しの突出量で弾圧係止させるものである。ロック体４ａは、外蓋ブロック３のケーシング３ａに内蔵された１対のスライダ４ｃ，４ｄにそれぞれ連結されて外蓋ブロック３の空隙３ｂにわずかに突出されて鎖部材Ｃの幅方向へ相対されている。スライダ４ｃ，４ｄは、コンパクトするために互いに積層（第７図参照）されてコイルスプリング４ｅで逆方向へスライドして離間するように（ロック体４ａが近接するように）弾圧されている。なお、スライダ４ｃ，４ｄのスライド域については、外蓋ブロック３のケーシング３ａの側面に固定されたストッパ４ｆによって規制されている。スライダ４ｃ，４ｄの一部は、外蓋ブロック３のケーシング３ａから露出されて操作ボタンを兼用している。また、ロック受４ｂは、連鎖部材Ｃに設けられた連結用軸受ブロック７に鎖部材Ｃの幅方向へ貫通孔構造で設けられている。連結用軸受ブロック７は、スリーブ１０が挿通される筒部７ａの上部に外蓋ブロック３の空隙３ｂに収容される山形部分が設けられて、ロック受４ｂに向けてテーパ面７ｂが形成されている。
補助ロック機構５は、第５図に詳細に示されるように、ボール形状に形成されたロック体５ａを溝形に形成されたロック受５ｂに少しの突出量で弾圧係止させるものである。ロック体５ａは、折畳板２の鎖部材Ｃ，外蓋ブロック３への連結側への肉厚部２ｂの一方の側面に鎖部材Ｃの幅方向へ堀込まれた取付孔に嵌合されたスリーブ５ｃに抜止め収容されている。スリーブ５ｃの内部には、ロック体５ａをスリーブ５ｃの外部方向へ弾圧するコイルスプリング５ｄが内蔵されている。また、ロック受５ｂは、ベース板１の収容溝１ａ（収容深溝１ｂ）の一方の側面に方形の浅い溝形に堀込まれている。このボールロック構造からなる補助ロック機構５は、小型化が可能であるため、ベース板１，折畳板２の間へのコンパクトな組込みに有効である。
第１例を手首等へ装着するには、まず、鎖部材Ｃへ手首等を挿通してから、鎖部材Ｃに直接的に連結されている側の折畳板２を折畳閉鎖する（第２図（Ｂ）参照）。この結果、この折畳板２が補助ロック機構５によってベース板１にロックされる。次に、反対側の折畳板２を折畳閉鎖する（第２図（Ｃ）参照）。この結果、この折畳板２が補助ロック機構５によってベース板１にロックされるとともに、ロック機構４によって鎖部材Ｃと外蓋ブロック３とがロックされることになる。このとき、ロック機構４のロック体４ａのロック受４ｂへの移動が連結用軸受ブロック７のテーパ面７ｂで円滑に案内されるため、折畳板２の折畳閉鎖のロック操作を円滑，確実に行うことができる。ロック機構４のロックは、ピンロック構造で補助ロック機構５のボールロック構造よりも強いロック力を発揮する。従って、手首等に確実に装着されて不測に脱落することはない。
第１例が手首等へ装着された状態では、ロック機構４，補助ロック機構５の弾圧係止の方向が鎖部材Ｃの幅方向に設定されているため、構造的な薄型化を構成して装着感を良好にすることができる。特に、折畳閉鎖された折畳板２がベース板１の収容溝１ａに収容され、折畳板２の厚さがベース板１の厚さに吸収されるため、さらなる構造的な薄型化を構成して装着感をより良好にすることができる。また、折畳閉鎖された折畳板２がベース板１の収容溝１ａに収容され、折畳板２の無用な動きがベース板１によって規制されるため、折畳閉鎖された折畳板２とベース板１とが安定的に一体化されて装身具等として手首等に確実に保持される。
第１例を手首等から取外すには、まず、ロック機構４の外蓋ブロック３のケーシング３ａから露出されて操作ボタンを兼用しているスライダ４ｃ，４ｄを押圧して（第６図（Ｂ）参照）、ロック体４ａを離間させてロック受４ｂから抜出させ、外蓋ブロック３に連結されている折畳板２を展開して開放させる。次に、反対側の折畳板２を展開して開放させる。なお、折畳板２を展開して開放する際には、補助ロック機構５の軽い弾圧抵抗があるが、操作に困難性をもたらすものではない。
第１例の装着，取外しの使用中には、ロック機構４のロック体４ａが外蓋ブロック３のケーシング３ａに覆われた格好で空隙３ｂにわずかに突出しているのみであるため、手首等への着脱の際に手首，指や衣服等を傷付けることがない。また、補助ロック機構５のロック体５ａについても、突出がわずかでボール形であるため、手首等への着脱の際に手首，指や衣服等を傷付けることがない。
第１例については、ベース板１の収容深溝１ｂを開口して手首等の汗等を放出する通気窓とすることも可能である。
第９図〜第１５図は、本発明に係るバンド用中留具を実施するための最良の形態の第２例を示すものである。
第２例では、第１例の材料をセラミックス化するものを示してある。
第２例は、ロック機構４のストッパ４ｆが変更され取付ネジ４ｇが追加されている。
第２例の外蓋ブロック３は、ケーシング３ａが連結用軸受ブロック８と一体的にセラミックス材の焼結成形により箱筒形に形成されている。ケーシング３ａの軸受３ｃと直交する側の両側面には、積層されたスライダ４ｃ，４ｄを内部の収容空間３ｄに収容するための収容用窓３ｅが開口されている。空隙３ｂは、底面の連結用軸受ブロック８の間にまで延びて大きく開口された格好となって、ロック機構４の取付ネジ４ｇを侵入させるための取付用窓３ｆを開口している。ケーシング３ａの収容空間３ｄの取付用窓３ｆに対面する壁面には、取付ネジ４ｇの先端部が係止される支持穴３ｇが設けられている。
第２例のスライダ４ｃ，４ｄは、セラミックス材の焼結成形により中央部分が除去されたＥ字に近似した形状の板形に形成されている。これ等のスライダ４ｃ，４ｄは、２個１対がロック体４ａを相対させて積層された状態で外蓋ブロック３の収容用窓３ｅから内部の収容空間３ｄに収容される大きさ，形状となっている。一方のスライダ４ｃは、ほぼ中央部にスライド方向へ長軸が配置された長孔形状（小判形状）のスライド用溝４ｈが貫通して形成されている。また、他方のスライダ４ｄは、ほぼ中央部にスライド方向へ長軸（スライド方向となる）が配置された長孔形状（小判形状）スライド用溝４ｉが貫通して形成されている。一方のスライダ４ｃのスライド用溝４ｈは、スライド方向に直交する方向の幅ｂが他方のスライダ４ｄのスライド用溝４ｉのスライド方向に直交する方向の幅ｃよりも大きくなっている（第１４図参照）。
第２例のストッパ４ｆは、一方のスライダ４ｃのスライド用溝４ｈに挿入される大型部分４ｆａと、他方のスライダ４ｄのスライド用溝４ｉに挿入される小型部分４ｆｂと、大型部分４ｆａ，小型部分４ｆｂの中心を貫通しているネジ部４ｆｃとを備えた段付きナットからなる。大型部分４ｆａは、スライド方向の長さが一方のスライダ４ｃのスライド用溝４ｈのスライド方向の長さよりも短く、スライド方向と直交する方向の長さが一方のスライダ４ｃのスライド用溝４ｈのスライド方向と直交する方向の長さと一致している。小型部分４ｆｂは、スライド方向の長さが他方のスライダ４ｄのスライド用溝４ｉのスライド方向の長さよりも短く、スライド方向と直交する方向の長さが他方のスライダ４ｄのスライド用溝４ｉのスライド方向と直交する方向の長さと一致している。大型部分４ｆａ，小型部分４ｆｂの合計の軸長は、スライダ４ｃ，４ｄのスライド用溝４ｈ，４ｉに挿入されて埋込まれる長さに設定されている（第１１図（Ｂ），（Ｃ）参照）。
取付ネジ４ｇは、ドライバ等の工具が掛けられる溝が刻設された頭部４ｇａからストッパ４ｆのネジ部４ｆｃに螺合するネジ部４ｇｂが延び先端部に外蓋ブロック３の支持穴３ｇに嵌合される嵌合部４ｇｃが設けられた小型ネジからなる。
第２例の組立工作は、まず、第１１図（Ａ），（Ｂ），第１２図に示すように、スライダ４ｃ，４ｄを積層してから、スライダ４ｃ，４ｄのライド用溝４ｈ，４ｉにストッパ４ｆを挿入して埋込み、スライダ４ｃ，４ｄにコイルスプリング４ｅを弾圧装着することになる。続いて、第１１図（Ｃ）に示すように、ストッパ４ｆが埋込まれコイルスプリング４ｅが弾圧装着されたスライダ４ｃ，４ｄを外蓋ブロック３の収容用窓３ｅから内部の収容空間３ｄに収容する。この後、第１１図（Ｄ），第１３図に示すように、外蓋ブロック３の取付用窓３ｆから取付ネジ４ｇを侵入させてストッパ４ｆのネジ部４ｆｃに螺合させ、取付ネジ４ｇの嵌合部４ｇｃを外蓋ブロック３の支持穴３ｇに嵌合させる。
この結果、ストッパ４ｆが外蓋ブロック３に固定的に支持され、スライダ４ｃ，４ｄがストッパ４ｆを介して外蓋ブロック３に可動的に支持されて組立が完成する。スライダ４ｃ，４ｄのスライド域は、ストッパ４ｆとスライダ４ｃ，４ｄのスライド用溝４ｈ，４ｉとによって規制されることになる。
従って、第２例の組立工作では、カシメ等による結合工作が不要になるため、外蓋ブロック３と外蓋ブロック３の内部にスライド可能に収容されるスライダ４ｃ，４ｄとの双方をセラミックス材とすることに何の支障もなくなる。そして、外蓋ブロック３，スライダ４ｃ，４ｄをセラミックス材とすることで、第１４図に示すようなロック機構４のロック体４ａ，ロック受体４ｂのロック，ロック解除となるスライダ４ｃ，４ｄのスライドについてステンレス，チタン系金属材に各種の表面処理を施すよりもはるかに円滑なスライド性能が得られるとともに、傷付き損傷の少ない耐久性の高い高級感のある光沢性が得られるという利点を得ることができる。特に、外蓋ブロック３の表面に何等の凹凸部も設けられていないため、外観体裁が極めて良好になる。
なお、第１１図（Ｃ）に示すように、両スライダ４ｃ，４ｄのスライド用溝４ｈ，４ｉに挿入され埋込まれたストッパ４ｆが幅の狭いスライド用溝４ｉが設けられたスライダ４ｄに抜止めされた格好となる。また、スライダ４ｃ，４ｄの間に装着されたコイルスプリング４ｅが弾圧保持される。従って、外蓋ブロック３の収容用窓３ｅから内部の収容空間３ｄへのスライダ４ｃ，４ｄ，ストッパ４ｆ，コイルスプリング４ｅの収容の際に、ストッパ４ｆ，コイルスプリング４ｅの脱落を防止することができるため、外蓋ブロック３へのスライダ４ｃ，４ｄ，ストッパ４ｆ，コイルスプリング４ｅの収容作業が容易になる。
また、第１１図（Ｄ），第１３図に示すように、ストッパ４ｆがスライダ４ｃ，４ｄに抜止され外蓋ブロック３の取付用窓３ｆから脱落しない状態でストッパ４ｆに取付ネジ４ｇを螺合させることができる。従って、取付ネジ４ｇのストッパ４ｆへの螺合作業が容易になる。
さらに、第２例では、第９図に示すように、ベース板１の挿通孔１ｄを大きめの孔としておきピン，チューブ等を差込んで孔開けすることで、ピン６を挿通する正規の寸法とするようにしている。この写し孔技術を利用することで、ベース板１の材料を、寸法の精度を得にくいセラミックス材としても、挿通孔１ｄを適正位置に確保することができる。
さらに、第２例では、補助ロック機構５をロック機構４のロック受４ｂ側となる折畳板２の基部（少し大型化させた肉厚部２ａ）付近にのみ設け、ベース板１を簡素化し外観体裁を良好にしている。なお、写し孔技術の利用に際しは、折畳板２の挿通孔２ｃ側（第５図参照）を大きめの孔として利用することも可能である。
第２例については、外蓋ブロック３の取付用窓３ｆを空隙３ｂから独立した小孔形とすることも可能である。
【産業上の利用可能性】
【００１０】
本発明に係るバンド用中留具は、腕時計バンド以外の広範な鎖部材に適用することが可能である。また、本発明に開示されるセラミック化の技術は、バンド用中留具に組込まれるスライド式のロック機構の外に、各種のスライド式の精密部品等に適用が可能である。
【図１】
2008084881.tif 000003
【図２】
2008084881.tif 000004
【図３】
2008084881.tif 000005
【図４】
2008084881.tif 000006
【図５】
2008084881.tif 000007
【図６】
2008084881.tif 000008
【図７】
2008084881.tif 000009
【図８】
2008084881.tif 000010
【図９】
2008084881.tif 000011
【図１０】
2008084881.tif 000012
【図１１】
2008084881.tif 000013
【図１２】
2008084881.tif 000014
【図１３】
2008084881.tif 000015
【図１４】
2008084881.tif 000016
【図１５】
2008084881.tif 000017
【国際調査報告】
2008084881.tif 000018
2008084881.tif 000019
2008084881.tif 000020
2008084881.tif 000021
2008084881.tif 000022
2008084881.tif 000023
2008084881.tif 000024